(57)【要約】      （修正有）【課題】ただ１本の紐を用い、最少数の手数をかけるだけで、読みかけの書物に簡単に取り付け、その１本の紐だけで３箇所又は４箇所の頁の目印にすることのできる栞を提供する。【解決手段】書物の縦幅の３倍または４倍の長さを有する１本の紐１を準備し、その一端または４分の１に当たる箇所に、その紐同士を接合することによってその紐のみから成る紐通し環３を形成した。【選択図】図１
0003211037.tif 000002
【実用新案登録請求の範囲】
【請求項１】
書物の縦幅の３倍の長さを有する１本の紐を準備し、その一端に、その紐同士を接合することによってその紐のみから成る紐通し環を形成した栞。
【請求項２】
書物の縦幅の４倍の長さを有する１本の紐を準備し、その全長の４分の１に当たる個所に、その紐同士を接合することによってその紐のみから成る紐通し環を形成した栞。
【請求項３】
紐同士の接合を、紐を結び合わせることにより達成したことを特徴とする請求項１または請求項２に記載の栞。
【考案の詳細な説明】
【技術分野】
【０００１】  本考案は、書物の読みかけの頁の間に挟んでその目印にしておく栞のうち、特に紙、布、プラスチックなどの細長い紐状片（以下、「紐」と略記する。）から成る栞に関する。
【背景技術】
【０００２】  書物に落ちないように取り付けて読みかけの頁の目印にしておける栞としては、特許文献１が知られている。しかし、その文献に記載されたものは、縦長状の紙の栞の折山に４つの穴をあけ、その穴に通したヒモと折山とを書物の表紙に巻き着け、それにより書物に栞を落ちないように取り付けている。したがって、栞を書物に落ちないように取り付けるという目的を達成するためには、ヒモのほかに紙の折山を準備しなければならず、その折山にヒモを４回も通すという複雑な作業を経たうえでなければ、栞として使用することができない。
【先行技術文献】
【特許文献】
【０００３】
【特許文献１】特開２０１０−５２４３６号公報
【考案の概要】
【考案が解決しようとする課題】
【０００４】  本考案の技術課題は、ただ１本の紐を用い、最少数の手数をかけるだけで、読みかけの書物に簡単に落ちないように取り付け、その１本の紐だけで３箇所以内又は４箇所以内の頁の目印にすることのできる栞を提供することにある。
【課題を解決するための手段】
【０００５】  ただ１本の紐を用い、最少数の手数をかけるだけで、読みかけの書物に簡単に落ちないように取り付けかつ最大３箇所の頁の目印とすることのできる栞を得るため、次の手段を採用した。
書物の縦幅の３倍の長さを有する１本の紐を準備し、その一端に、その紐同士を接合することによってその紐のみから成る紐通し環を形成した。【０００６】  ただ１本の紐を用い、最少数の手数をかけるだけで、読みかけの書物に簡単に落ちないように取り付けかつ最大４箇所の頁の目印とすることのできる栞を得るため、次の手段を採用した。
書物の縦幅の４倍の長さを有する１本の紐を準備し、その全長の４分の１に当たる個所に、その紐同士を接合することによってその紐のみから成る紐通し環を形成した。【０００７】  １本の紐同士の接合を、紐のみにより行なうことにより、費用をかけずに簡単な手作業だけでできるようにするため、特に次の手段を採用した。
紐同士の接合を、紐を結び合わせることにより達成した。
【考案の効果】
【０００８】  請求項１の考案においては、紐の書物への取り付けは次のようにして行なわれる。紐通し環に紐を通してループを作る。そのループを書物の読みかけの（または、目印にしておきたい、以下同じ。）２箇所の頁に巻き付ける。そして、環に通した紐を引っ張ってループを縮小させると、栞は落ちないようにしっかりと書物に取り付けられる。紐通し環から延べ出した紐を読みかけの他の箇所の頁に挟む。こうして、１本の紐で３箇所の頁の目印ができる。
ループを書物の表紙と読みかけの箇所の頁に巻き付けるようにすれば、１本の紐で２箇所の頁の目印ができる。紐通し環から延べ出した紐を他の箇所の頁に挟まなければ（ループを巻き付けただけの状態にしておくときは）１箇所の頁の目印になる。【０００９】  請求項２の考案においては、紐の書物への取り付けは次のようにして行なわれる。紐通し環に長いほうの紐を通して図２（ｂ）に示すループ４を作る。そのループを書物の読みかけの２箇所の頁に巻き付ける。そして、環に通した紐を引っ張ってループを縮小させると、栞は落ちないようにしっかりと書物に取り付けられる。長いほうの紐の紐通し環から延べ出した部分と短いほうの紐をそれぞれ読みかけの他の２箇所の頁に挟む。こうして、１本の紐で最大４箇所の頁の目印ができる。
ループを書物の表紙と読みかけの箇所の頁に巻き付けるようにすれば、第３図に示すように、３箇所の頁の目印ができる。上述したところを参照すれば、２箇所又は１箇所の頁の目印にするのも、容易である。【００１０】  請求項３の考案において、紐の結び合わせの仕方については各種の方法が採用される。図４の結び合わせは最も手数が少なくて済む。図５の結び合わせにすると、環の大きさを容易に変えその環に飾り物などを取り付けることができる。図６の結び方はあまり一般的ではないが、環の大きさを変えられることのないようにするメリットが得られる。
【図面の簡単な説明】
【００１１】
【図１】請求項２に記載された紐の側面図である。
【図２】（ａ）は開いた書物の斜視図、（ｂ）は紐通し環に長いほうの紐の一部（その長さが全長の４分の３に当たる紐の部分）を通したところを示す図である。
【図３】ループを書物の表紙と読みかけの箇所の頁に巻き付け、１本の紐で３箇所の頁の目印を作るときの斜視図である。
【図４】（ａ）、（ｂ）、（ｃ）の順に紐を結び合わせ、結び合わせの工程を最も少なくする結び方を例示した図である。
【図５】（ａ）、（ｂ）、（ｃ）、（ｄ）の順に紐を結び合わせ、結び合わせた後において、必要に応じて紐通し環の大きさを任意にかつ簡単に変えることができるようにする結び方を例示した図である。
【図６】（ａ）、（ｂ）、（ｃ）、（ｄ）、（ｅ）の順に紐を結び合わせ、結び合わせた後において、紐通し環の大きさが変えられることのないようにする結び方を例示した図である。
【考案を実施するための形態】
【００１２】  以下、本考案の実施の形態を図に基づいて説明する。
【実施例】
【００１３】  紐１の長さは、書物の縦幅の３倍または４倍を目安にする。必要や好みに応じて２．５倍でも４．５倍など、任意の長さにすることができる。それは本考案の設計の範囲である。ただしその長さは、何箇所の頁の目印として使いたいかによって、あらかじめ決めておかなければならない。
紐１は、赤、青、黄などの色ものを使ってもよいし、弾力性があるものであってもよい。【００１４】  紐１の紐同士の接合は、糊、市販の接着材等で行うことができる。しかし、その場合には、接合後、ループ４を作るときに接合部２の接合が離れてしまい紐通し環３に紐が通せなくなったりしないように、しっかりした接合をしなければならない。また、接合部２が固化して完全に接合するまでは栞として使用することができない点にも注意を要する。【００１５】  紐１を容易に結び合わせることのできる結び方を、図４、図５および図６に例示する。図に従って結べば、紐通し環３が容易に形成できる。これらの例を参考にして、ほかの結び方にしてもよいことは勿論である。
なお、図５の結び方にすると、結んだ後に、紐通し環３の輪の中に飾り物（図示を省略する。）の中央部分を挟み、それから、環に通した紐を引っ張りループを縮小させると、栞を書物にしっかりと取り付けると同時に、その飾り物をもしっかりとその栞に取り付けることができる。
【産業上の利用可能性】
【００１６】  本考案は、栞または紐に関わる産業で用いられる。
【符号の説明】
【００１７】  １  紐
２  接合部
３  紐通し環
４  ループ
【図１】
0003211037.tif 000003
【図２】
0003211037.tif 000004
【図３】
0003211037.tif 000005
【図４】
0003211037.tif 000006
【図５】
0003211037.tif 000007
【図６】
0003211037.tif 000008